(57)【要約】【課題】外部へ露出した始動スイッチであっても、引出し開放時における開放補助手段の意図しない起動を抑制した、使い勝手の良い開放補助手段付きキャビネットを提供すること。【解決手段】キャビネットは、固定枠体と、引出しと、開放補助手段と、キャビネット外部に露出した検知部を有する始動スイッチと、開放補助手段に電力を供給する電源ユニットと、引出しの閉止時のみ、検知部と開放保持手段とを電気的に接続する電気接続手段と、を備えている。電気接続手段を通じて検知部と電気的に接続された状態の開放補助手段は、検知部の操作により起動する。【選択図】図３
2020032041.tif 000002
【特許請求の範囲】
【請求項１】
固定枠体と、
前記固定枠体に可動可能に設けられた引出しと、
前記固定枠体に設けられ、前記引出しの開放を補助する開放補助手段であって、前記引出しを前記固定枠体から押し出す押出し部を有する開放補助手段と、
キャビネット外部に露出した検知部を有する始動スイッチと、
前記開放補助手段に電力を供給する電源ユニットと、
前記引出しの閉止時のみ、前記検知部と前記開放補助手段とを電気的に接続する電気接続手段と、
を備え、
前記電気接続手段を通じて前記検知部と電気的に接続された状態の前記開放補助手段は、前記検知部の操作により起動するキャビネット。
【請求項２】
前記検知部は前記引出しの扉に設けられ、
前記電気接続手段は、前記引出しの背面部に設けられた第１の電気接点と、前記第１の電気接点に対向する前記固定枠体の前面部に設けられた第２の電気接点とを有し、
前記引出しの開閉に連動して、前記第１の電気接点と前記第２の電気接点とは互いに接続または離間する請求項１記載のキャビネット。
【請求項３】
前記第１の電気接点が設けられた前記引出しの前記背面部は、前記引出しの前記扉の背面である請求項２記載のキャビネット。
【請求項４】
前記電気接続手段は、前記第１の電気接点と前記第２の電気接点とが互いに接近する方向に力が働くように補助する手段を有する請求項２または３に記載のキャビネット。
【発明の詳細な説明】
【技術分野】
【０００１】
本発明は、キャビネットに関する。
【背景技術】
【０００２】
従来、ユーザのスイッチ操作に応じて引出しの開放を補助する開放補助手段を備えたキャビネットが知られている。例えば、特許文献１のような、引出しの扉に引出しの開放を補助する開放補助手段を起動するスイッチを設けた構成が知られている。
【先行技術文献】
【特許文献】
【０００３】
【特許文献１】特許第５２０２３２２号公報
【発明の概要】
【発明が解決しようとする課題】
【０００４】
しかしながら、特許文献１のような構成では、開放補助手段を起動するための始動スイッチは常に作動可能な状態にあるため、開放補助手段を利用する意図のない引出し開放時にも開放補助手段が作動するおそれがあり、開放補助手段に対し負荷がかかる。また、例えば、利用者が引出しを閉める際に始動スイッチを誤って操作してしまうことにより、開放補助手段の押出し部が破損するおそれがある。
【０００５】
そこで、本発明は、外部へ露出した始動スイッチであっても、引出し開放時における開放補助手段の意図しない起動を抑制した、使い勝手の良い開放補助手段付きキャビネットを提供することを目的とする。
【課題を解決するための手段】
【０００６】
第１の発明のキャビネットは、固定枠体と、前記固定枠体に可動可能に設けられた引出しと、前記固定枠体に設けられ、前記引出しの開放を補助する開放補助手段であって、前記引出しを前記固定枠体から押し出す押出し部を有する開放補助手段と、キャビネット外部に露出した検知部を有する始動スイッチと、前記開放補助手段に電力を供給する電源ユニットと、前記引出しの閉止時のみ、前記検知部と前記開放補助手段とを電気的に接続する電気接続手段と、を備えている。前記電気接続手段を通じて前記検知部と電気的に接続された状態の前記開放補助手段は、前記検知部の操作により起動する。  
第１の発明によれば、開放補助手段を起動させる必要がない引出し開放時に、利用者が検知部を意図せず操作してしまっても、開放補助手段が起動することを防止できる。このような開放補助手段の無駄な動作の抑制は、開放補助手段にかかる負荷を低減させ、耐久性を向上させる。また、無駄な電力消費も抑制できる。  
第２の発明は、第１の発明において、前記検知部は前記引出しの扉に設けられ、前記電気接続手段は、前記引出しの背面部に設けられた第１の電気接点と、前記第１の電気接点に対向する前記固定枠体の前面部に設けられた第２の電気接点とを有し、前記引出しの開閉に連動して、前記第１の電気接点と前記第２の電気接点とは互いに接続または離間する。ここで、引出しの背面部は、引出しの構成要素の背面を表し、例えば、扉の背面、または背板の背面である。また、固定枠体の前面部は、固定枠体の構成要素の前面を表し、例えば、側板の前面、または裏板の前面である。  
第２の発明によれば、引出しの開閉に連動して、検知部と開放補助手段との間の信号伝達のＯＮ／ＯＦＦを行う構成であるため、引出しの開閉状態を検知する開閉状態検知センサなどを別途設けることが不要となり、簡易な構成で引出し開放時における開放補助手段の意図しない起動を抑制でき、使い勝手を良くできる。  
第３の発明は、第２の発明において、前記第１の電気接点が設けられた前記引出しの前記背面部は、前記引出しの前記扉の背面である。  
第３の発明によれば、引出しの扉に設けた検知部から引出し奥側まで直接配線する必要がない。  
第４の発明は、第２または第３の発明において、前記電気接続手段は、前記第１の電気接点と前記第２の電気接点とが互いに接近する方向に力が働くように補助する手段を有する。  
第４の発明によれば、閉止状態における固定枠体と引出しとの間の隙間の大きさにばらつきが生じても、第１の電気接点と第２の電気接点とを確実に接触させることができる。
【発明の効果】
【０００７】
本発明のキャビネットによれば、外部へ露出した始動スイッチであっても、引出し開放時における開放補助手段の意図しない起動を抑制でき、使い勝手を良くできる。
【図面の簡単な説明】
【０００８】
【図１】実施形態に係るキャビネットの斜視図である。
【図２】実施形態に係る固定枠体の斜視図である。
【図３】実施形態に係るキャビネットにおける引出し閉止状態の模式断面図である。
【図４】実施形態に係るキャビネットにおける引出し開放状態の模式断面図である。
【図５】実施形態に係るキャビネットにおける電気接続手段の模式断面図である。
【図６】実施形態に係るキャビネットにおける引出し閉止状態の模式断面図である。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、実施形態に係るキャビネット１の斜視図である。
【００１１】
キャビネット１は、固定枠体１０と、固定枠体１０に可動可能に設けられた引出し４０、５０とを有する。図１に示す例では、第１の引出し４０と、第１の引出し４０の下方に位置する第２の引出し５０の２つの引出しを示すが、引出しの数は、１つまたは３つ以上であってもよい。
【００１２】
図２は、図１に示す天板１１を取り外した状態の固定枠体１０の斜視図である。
【００１３】
固定枠体１０は、天板１１（図１に示す）と、底板１２と、裏板１３と、２つの側板１４とを有する。固定枠体１０は、それら天板１１、底板１２、裏板１３、および２つの側板１４で囲まれた空間を有し、引出し４０、５０はその空間内に収納可能となっている。
【００１４】
固定枠体１０の前面は開放され開口１６が形成されている。その開口１６を通じて、引出し４０、５０がスライド自在に固定枠体１０に取り付けられる。引出し４０、５０のスライドは、側板１４の内面に設けられたスライドレール１７によってガイドされる。
なお、本願明細書において、「前方」とは、引出し４０、５０が固定枠体１０から引き出される方向を指しており、「後方」とは、引出し４０、５０が固定枠体１０へ収納される方向を指している。
【００１５】
裏板１３の前面には、開放補助手段３０が設けられている。引出し４０、５０の数に対応して、２つの開放補助手段３０が設けられている。開放補助手段３０は、引出し４０、５０を固定枠体１０から押し出す押出し部３１を有し、引出し４０、５０の開放を補助する。
開放補助手段３０は、引出し４０、５０の閉止位置近傍において、引出し４０、５０を後方へ引き込もうとする閉止アシスト手段に対し、閉止アシスト手段の付勢力に対して、引出し４０、５０を前方へ押し出す手段のことを指す。
【００１６】
開口１６の上端部には、間口方向（一対の側板１４の間を結ぶ方向）に渡って間口補強部材１５が設けられている。間口補強部材１５は、開口１６の幅と同一幅で一対の側板１４の間を延在し、間口補強部材１５の両端部は側板１４に固定されている。
【００１７】
図３は、キャビネット１の模式断面図である。図３は、固定枠体１０の内部に引出し４０、５０が収納された引出し閉止状態を表す。  
図４は、固定枠体１０から引出し４０、５０が引き出された引出し開放状態の模式断面図である。
【００１８】
それぞれの引出し４０、５０は、扉２１と、背板２２と、底板２３と、２つの側板２４とを有し、上面は開放されている。
【００１９】
引出し４０、５０の閉止状態において、開放補助手段３０は、固定枠体１０の裏板１３と引出し４０、５０の背板２２との間に位置する。
【００２０】
固定枠体１０の裏板１３の前面に電源ユニット８０が設けられている。電源ユニット８０は、商用電源と接続可能であり、商用電源の交流電力を直流電力に変換する。
【００２１】
開放補助手段３０は、電源ユニット８０と電源線８１で接続され、その電源線８１を通じて電源ユニット８０から電力供給を受ける。
【００２２】
第１の引出し４０の開放を補助する開放補助手段３０は、第１の引出し４０に設けられた始動スイッチ６０の操作によって起動し、第２の引出し５０の開放を補助する開放補助手段３０は、第２の引出し５０に設けられた始動スイッチ６０の操作によって起動する。それぞれの始動スイッチ６０は、利用者の操作を検知する検知部６１を有する。また、始動スイッチ６０は、検知部６１の操作信号の入力を受け、開放補助手段３０に制御信号を出力する制御部７４を有する。
【００２３】
検知部６１は、利用者が操作しやすいように、キャビネット１の外部に露出して設けられている。例えば、検知部６１は、引出し４０、５０の扉２１の上端部に設けられ、扉２１の幅方向（間口方向）に延在している。また、検知部６１は、引出し４０、５０の扉２１の背面に露出する部分も有する。このように、第１の引出し４０の開放を補助するための検知部６１は、逆Ｌ字形状であり、天板１１の下面と接する面と、信号線７３（詳細は後述）と接する面と、を有している。
そのため、天板１１の下面と引出し４０との間に位置する検知部６１を、デザイン性を考慮し薄く設けたとしても、信号線７３との接続が容易となる。
【００２４】
検知部６１は、例えば、利用者が触れることで電気信号が発生するタッチセンサを有する。このタッチセンサは、例えば、指先を検知部６１に近づける、または触れると、指先を通じて静電容量が変化する静電式センサである。扉２１が金属製の場合、扉２１がタッチセンサ式の検知部を兼ねることが可能である。または、タッチセンサは、加えられた力を電圧に変換する圧電素子を有する圧電式センサであってもよい。
【００２５】
始動スイッチ６０の検知部６１は、電気接続手段７０を通じて、開放補助手段３０と電気的に接続可能となっている。
【００２６】
電気接続手段７０は、第１の電気接点７１と、第２の電気接点７２と、信号線７３と、電気配線７５とを含む。制御部７４、信号線７３、および電気配線７５は、例えば固定枠体１０の側板１４に設けられている。
【００２７】
第１の電気接点７１は、図４に示すように、引出し４０、５０の扉２１の背面に露出する検知部６１の背面に設けられている。第２の電気接点７２は、第１の電気接点７１に対向するように、固定枠体１０の側板１４の前面に設けられている。
【００２８】
第２の電気接点７２は、信号線７３によって、制御部７４と電気的に接続されている。制御部７４は、電気配線７５によって、開放補助手段３０と電気的に接続されている。電気配線７５は、電源線と信号線を兼ねる。制御部７４は、電源線８１および電気配線７５を通じて、電源ユニット８０から電力の供給を受ける。
【００２９】
検知部６１の操作信号は、第１の電気接点７１、第２の電気接点７２、信号線７３、制御部７４、および電気配線７５を通じて、開放補助手段３０に伝達する。制御部７４は、検知部６１の操作信号を受けて、開放補助手段３０を起動させる制御信号を開放補助手段３０に送る。
【００３０】
第２の電気接点７２は固定側の要素である固定枠体１０に設けられているのに対し、第１の電気接点７１は可動側の要素である引出し４０、５０の扉２１に設けられている。したがって、引出し４０、５０の開閉に連動して、第１の電気接点７１と第２の電気接点７２とは互いに接続または離間する。
【００３１】
すなわち、図３に示す引出し４０、５０の閉止時のみ、第１の電気接点７１と第２の電気接点７２とが互いに接続し、それらを含む前述した電気接続手段７０によって、始動スイッチ６０の検知部６１と開放保持手段３０とが電気的に接続される。
【００３２】
このようにして検知部６１と開放補助手段３０とが電気的に接続された状態で、利用者が検知部６１を操作すると（例えばタッチセンサである検知部６１に触れると）、操作信号が電気接続手段７０を通じて開放補助手段３０に伝達する。この操作信号を受けて、開放補助手段３０は起動する。すなわち、押出し部３１が作動して、引出し４０、５０を固定枠体１０から引き出す方向に背板２２を押す。
【００３３】
開放補助手段３０が起動した後、例えば所定時間が経過すると自動的に押出し部３１は元の位置に戻り、開放補助手段３０は作動待機状態になる。
【００３４】
図４に示すように、引出し４０、５０が固定枠体１０から引き出された開放状態では、引出し４０、５０に設けられた第１の電気接点７１が、固定枠体１０に設けられた第２の電気接点７２から離間し、検知部６１と開放補助手段３０との電気的接続が遮断される。この状態では、利用者が検知部６１を操作しても（触れても）、開放補助手段３０は起動しない。
【００３５】
したがって、開放補助手段３０を起動させる必要がない引出し開放時に、利用者が検知部６１を意図せず操作してしまっても（触れてしまっても）、開放補助手段３０が起動することを防止できる。このような開放補助手段３０の無駄な動作の抑制は、開放補助手段３０にかかる負荷を低減させ、耐久性を向上させる。また、無駄な電力消費も抑制できる。
【００３６】
また、開放状態から利用者が引出し４０、５０を閉める際に、作動した開放補助手段３０の押出し部３１と、引出し４０、５０の背板２２とが干渉し、開放補助手段３０や引出し４０、５０が破損することを抑制できる。このことも、開放補助手段３０の耐久性を向上させる。このように、実施形態によれば、始動スイッチ６０の検知部６１を外部に露出した構成にしつつも、引出し開放時における開放補助手段３０の意図しない起動を抑制でき、使い勝手を良くできる。
【００３７】
また、実施形態によれば、引出し４０、５０の開閉に連動して、検知部６１と開放補助手段３０との間の信号伝達のＯＮ／ＯＦＦを行う構成であるため、引出し４０、５０の開閉状態を検知する開閉状態検知センサなどを別途設けることが不要となり、簡易な構成で引出し開放時における開放補助手段３０の意図しない起動を抑制でき、使い勝手を良くできる。
【００３８】
電源ユニット８０は、キャビネットにおいて一般的にデッドスペースとなっている引出し４０、５０の後方空間に設けている。その電源ユニット８０から、キャビネット１の前面側に設けられた第２の電気接点７２まで配線接続されている。引出し４０、５０の扉２１に設けた検知部６１から引出し奥側まで直接配線する必要がない。配線が固定側にあり、引出し４０、５０を開けても目立たないので、美観を損ねない。配線を見えないように、また、他の部位に接触しないように埋め込む等の細工が不要となる。扉２１の一部を検知部６１として使うことができ、または扉２１自体を検知部として利用でき、デザイン上の自由度が高く、意匠性に優れる。
【００３９】
図５（ａ）および（ｂ）は、第１の電気接点７１と第２の電気接点７２との接続構造の例を示す模式断面図である。
【００４０】
電気接続手段７０は、第１の電気接点７１と第２の電気接点７２とが互いに接近する方向に力が働くように補助する手段９０を有する。この手段９０は、ケース９１と、ケース９１内に収容された導電性のばね９２とを有する。
【００４１】
ケース９１は、例えば固定枠体１０の側板１４に固定されている。ばね９２は、ケース９１内で伸縮自在に設けられている。ばね９２の一端は前述した信号線７３を通じて制御部７４に接続され、ばね９２の他端は第２の電気接点７２に接続されている。導電性のばね９２を通じて、第２の電気接点７２と信号線７３は電気的に接続されている。
【００４２】
図５（ａ）および図５（ｂ）は、ともに引出し４０、５０が閉止した状態を表す。その閉止状態において、図５（ａ）は、図５（ｂ）よりも、固定枠体１０と、引出し４０、５０の扉２１との間の隙間（遊び）が大きい場合を表す。
【００４３】
ばね９２が伸縮することで、ばね９２に固定された第２の電気接点７２は、引出し４０、５０のスライド方向に可動する。閉止状態において第２の電気接点７２に第１の電気接点７１が接触すると、第２の電気接点７２はばね９２の復元力により第１の電気接点７１に押し当たる。第２の電気接点７２が可動することで、閉止状態における固定枠体１０と扉２１との間の隙間の大きさにばらつきが生じても、第２の電気接点７２と第１の電気接点７１とを確実に接触させることができる。
【００４４】
または、第１の電気接点７１と第２の電気接点７２に磁性体を利用し、第１の電気接点７１と第２の電気接点７２とが互いに接近する方向に磁気吸引力が働くようにすることで、第１の電気接点７１と第２の電気接点７２とを確実に接触させることができる。
【００４５】
図６は、他の実施形態に係るキャビネット２の模式断面図である。図６は、固定枠体１０の内部に引出し４０、５０が収納された引出し閉止状態を表す。
【００４６】
図６に示す例では、引出し４０、５０の背板２２の背面に第１の電気接点７１が設けられている。閉止状態における引出し４０、５０の背板２２の後方に制御部７４が設けられ、その制御部７４の近傍に、または制御部７４に一体に第２の電気接点７２が第１の電気接点７１に対向するように設けられている。始動スイッチ６０の検知部６１は、引出し４０、５０に設けられた信号線７６を通じて、第１の電気接点７１と電気的に接続されている。第２の電気接点７２は、信号線を通じて制御部７４と電気的に接続されている。または、第２の電気接点７２は、制御部７４の基板に設けられている。その他の構成は、前述した実施形態と同じである。
【００４７】
図６に示す例においても、第２の電気接点７２は固定側の要素である固定枠体１０に設けられているのに対し、第１の電気接点７１は可動側の要素である引出し４０、５０の扉２１に設けられている。したがって、引出し４０、５０の開閉に連動して、第１の電気接点７１と第２の電気接点７２とは互いに接続または離間する。
【００４８】
すなわち、引出し４０、５０の閉止時のみ、第１の電気接点７１と第２の電気接点７２とが互いに接続し、それらを含む電気接続手段７０によって、始動スイッチ６０の検知部６１と開放保持手段３０とが電気的に接続される。
【００４９】
また、第１の電気接点７１、第２の電気接点７２、および制御部７４が、引出し４０、５０の背板２２よりも後方の位置（引出し４０、５０を開けても見えない位置）に設けられているため、美観を損ねない。
【００５０】
引出し４０、５０の扉２１に取っ手が設けられた構成において、その取っ手に始動スイッチ６０の検知部６１を設けてもよい。始動スイッチ６０を取っ手としてデザインできるので、意匠性に優れる。また、引出し４０、５０を開けるときに、取っ手に手をかけた瞬間から引出し４０、５０の開放補助が作動するので、自然な動作で引出し開放のアシスト力が得られる。
【００５１】
また、始動スイッチ６０は、押しボタン式の検知部６１の裏側に制御部７４を一体に設けた構成であってもよい。
【００５２】
以上、具体例を参照しつつ本発明の実施形態について説明した。しかし、本発明は、それらに限定されるものではなく、本発明の技術的思想に基づいて種々の変形が可能である。
【符号の説明】
【００５３】
１,２…キャビネット、１０…固定枠体、２１…扉、３０…開放補助手段、３１…押出し部、４０,５０…引出し、６０…始動スイッチ、６１…検知部、７０…電気接続手段、７１…第１の電気接点、７２…第２の電気接点、７４…制御部、８０…電源ユニット
【図１】
2020032041.tif 000003
【図２】
2020032041.tif 000004
【図３】
2020032041.tif 000005
【図４】
2020032041.tif 000006
【図５】
2020032041.tif 000007
【図６】
2020032041.tif 000008